(57)【要約】【課題】部品点数が少なく、施工が容易で、壁面との間に隙間を生じない、連続手すりのエンドキャップと、連続手すりの出隅部の連接材を提供する。【解決手段】エンドキャップ５は、第一の端面７と、第二の端面８と、これらの端面７、８の境界に直線状に延びる稜線１０と、第一の端面７に形成された手すり部材連接部１００と、第二の端面８に形成された壁面連接部２００とを有する。手すり部材連接部１００は第一の端面７から突出した連続壁１０１を有し、連続壁１０１は、手すり部材の端部を被うように、手すり部材の端部の外形に沿って延在する。端部材５０は手すり部材連接部３００を有し、エンドキャップ５の第二の端面８に固定される。エンドキャップ５と端部材５０をブラケットレスの手すり又はブラケット一体型の手すりと組み合わせることにより、手すりと壁面の間に空隙を生じない連続手すり１を提供することができる。【選択図】図１２
2015007346.tif 000002
【特許請求の範囲】
【請求項１】
連続手すりの手すり部材の端部を壁面に連接させるエンドキャップであって、前記エンドキャップは、第一の端面と、前記第一の端面に隣接し、かつ、前記第一の端面に対して９０度の角度を成す、第二の端面と、前記第一の端面と前記第二の端面の境界に直線状に延びる稜線と、前記第一の端面に形成された手すり部材連接部と、前記第二の端面に形成された壁面連接部とを有する、前記エンドキャップにおいて、前記手すり部材連接部は、前記第一の端面から突出した連続壁を有し、前記連続壁は、前記手すり部材の端部を被うように、前記手すり部材の端部の外形に沿って延在し、前記稜線が前記壁面に沿って配置されると、前記壁面連接部は前記壁面に沿って延在することを特徴とする、連続手すりのエンドキャップ。
【請求項２】
請求項１に記載したエンドキャップにおいて、前記手すり部材連接部は、前記第一の端面から突出した一つ又は二つ以上の位置決め用の突起を有し、前記位置決め用の突起は、前記手すり部材の端部から前記手すり部材の内部に進入するように、前記連続壁の内側に形成され、前記位置決め用の突起は、前記手すり部材の端部を前記連続壁の内側の所定の位置に案内するように、前記連続壁よりも突出していることを特徴とする、前記エンドキャップ。
【請求項３】
請求項２に記載したエンドキャップにおいて、前記手すり部材連接部は、前記第一の端面から突出した一つ又は二つ以上の固定用の突起を有し、前記固定用の突起は方形の断面形状を有し、前記エンドキャップは、前記固定用の突起を貫通するネジによって、前記壁面に固定されることを特徴とする、前記エンドキャップ。
【請求項４】
請求項３に記載したエンドキャップにおいて、前記固定用の突起は、前記手すり部材の端部から前記手すり部材の内部に進入するように、前記連続壁の内側に形成され、前記固定用の突起は、前記手すり部材の端部を前記連続壁の内側の所定の位置に案内するように、前記連続壁よりも突出していることを特徴とする、前記エンドキャップ。
【請求項５】
請求項１乃至４のうちのいずれか一項に記載したエンドキャップにおいて、前記第二の端面に凹所を形成し、前記第二の端面の縁部と前記凹所の開口の間に帯状平面を画成し、前記帯状平面によって前記壁面連接部を構成し、前記エンドキャップの内部に空洞部を形成し、前記空洞部を前記凹所の底部に開口させたことを特徴とする、前記エンドキャップ。
【請求項６】
請求項１に記載したエンドキャップにおいて、前記エンドキャップは、前記第一の端面と前記第二の端面に隣接し、かつ、前記第一の端面と前記第二の端面の間に延在する、側面を有し、前記側面の天井部に、前記稜線に直交する平面部を形成したことを特徴とする、前記エンドキャップ。
【請求項７】
請求項１に記載したエンドキャップにおいて、前記連続手すりは、手すり部材と壁面の間に空隙を有さない、ブラケットレスの手すり又はブラケット一体型の手すりであることを特徴とする、前記エンドキャップ。
【請求項８】
壁面の出隅で手すり部材を連接させる連続手すりの連接材であって、
前記連接材は、手すり部材の端部を壁面に連接させるためのエンドキャップを含み、前記エンドキャップは、第一の端面と、前記第一の端面に隣接し、かつ、前記第一の端面に対して９０度の角度を成す、第二の端面と、前記第一の端面と前記第二の端面の境界に直線状に延びる稜線と、前記第一の端面に形成された第一の手すり部材連接部を有し、
前記連接材は、更に、前記エンドキャップの前記第二の端面に固定された端部材を有し、前記端部材は第二の手すり部材連接部を有し、
前記第一の手すり部材連接部は、前記第一の端面から突出した連続壁を有し、前記連続壁は、前記エンドキャップの前記稜線を前記壁面の出隅に沿って配置したとき、前記第一の手すり部材連接部に連接される手すり部材の端部を被うように、前記手すり部材の端部の外形に沿って延在し、
前記第二の手すり部材連接部は、前記端部材から突出した連続壁を有し、前記連続壁は、前記エンドキャップの前記稜線を前記壁面の出隅に沿って配置したとき、前記第二の手すり部材連接部に連接される手すり部材の端部を被うように、前記手すり部材の端部の外形に沿って延在することを特徴とする、連続手すりの連接材。
【請求項９】
請求項８に記載した連続手すりの連接材において、前記第一の手すり部材連接部は、前記第一の端面から突出した一つ又は二つ以上の位置決め用の突起を有し、前記第二の手すり部材連接部は、前記端部材から突出した一つ又は二つ以上の位置決め用の突起を有し、
前記第一の手すり部材連接部の前記位置決め用の突起は、前記手すり部材の端部から前記手すり部材の内部に進入するように、前記第一の手すり部材連接部の前記連続壁の内側に形成され、かつ、前記手すり部材の端部を前記連続壁の内側の所定の位置に案内するように、前記第一の手すり部材連接部の前記連続壁よりも突出し、
前記第二の手すり部材連接部の前記位置決め用の突起は、前記手すり部材の端部から前記手すり部材の内部に進入するように、前記第二の手すり部材連接部の前記連続壁の内側に形成され、かつ、前記手すり部材の端部を前記連続壁の内側の所定の位置に案内するように、前記第二の手すり部材連接部の前記連続壁よりも突出していることを特徴とする、前記連続手すりの連接材。
【請求項１０】
請求項９に記載した連続手すりの連接材において、前記第一の手すり部材連接部は、前記第一の端面から突出した一つ又は二つ以上の固定用の突起を有し、前記第二の手すり部材連接部は、前記端部材から突出した一つ又は二つ以上の固定用の突起を有し、前記固定用の突起は、それぞれ、方形の断面形状を有し、前記エンドキャップは、前記固定用の突起を貫通するネジによって、前記壁面に固定されることを特徴とする、前記連続手すりの連接材。
【請求項１１】
請求項１０に記載した連続手すりの連接材において、
前記第一の手すり部材連接部の前記固定用の突起は、前記手すり部材の端部から前記手すり部材の内部に進入するように、前記第一の手すり部材連接部の前記連続壁の内側に形成され、かつ、前記手すり部材の端部を前記連続壁の内側の所定の位置に案内するように、前記第一の手すり部材連接部の前記連続壁よりも突出し、
前記第二の手すり部材連接部の前記固定用の突起は、前記手すり部材の端部から前記手すり部材の内部に進入するように、前記第二の手すり部材連接部の前記連続壁の内側に形成され、かつ、前記手すり部材の端部を前記連続壁の内側の所定の位置に案内するように、前記第二の手すり部材連接部の前記連続壁よりも突出していることを特徴とする、前記連続手すりの連接材。
【請求項１２】
請求項８に記載した連続手すりの連接材において、前記エンドキャップの前記第二の端面に凹所を形成し、前記凹所の内壁に段差部を形成し、前記端部材を前記凹所に嵌合させると共に前記段差部に係止させ、更に、前記エンドキャップの内部に空洞部を形成したことを特徴とする、前記連続手すりの連接材。
【請求項１３】
請求項８に記載した連続手すりの連接材において、前記エンドキャップは、前記第一の端面と前記第二の端面に隣接し、かつ、前記第一の端面と前記第二の端面の間に延在する、側面を有し、前記側面の天井部に、前記稜線に直交する平面部を有することを特徴とする、前記連続手すりの連接材。
【請求項１４】
請求項８に記載した連続手すりの連接材において、前記連続手すりは、手すり部材と壁面の間に空隙を有さない、ブラケットレスの手すり又はブラケット一体型の手すりであることを特徴とする、前記連続手すりの連接材。
【発明の詳細な説明】
【技術分野】
【０００１】
本発明は、連続手すりのエンドキャップと連接材に関するものである。更に詳細に述べると、本発明は、連続手すりの端部を壁面に連接させるエンドキャップと、壁面の出隅で手すり部材を連接させる連続手すりの連接材に関するものである。
【背景技術】
【０００２】
一般に、建築物等の壁面に設置された連続手すりの端部には、エンドキャップが装着される。エンドキャップは、手すりの端部を覆うことにより、手すりの端部が露出することを防止し、手すりの使い勝手を向上させる。連続手すりには、また、コーナー部品が使用される場合がある。コーナー部品は、一方の壁面に設置された手すり部材の端部と他方の壁面に設置された手すり部材の端部を、壁面の出隅や入隅を挟んで連結する。コーナー部品を使用すれば、出隅や入隅を超えて手すりを連続させることができる。
【０００３】
連続手すりとして、手すりと壁面の間に空隙を有さない、所謂、ブラケットレスの手すりやブラケット一体型の手すりが使用されている。これらの手すりは、壁面に密着するから、壁面からの突出量が小さい。また、手すりを支持するためのブラケットが外部に露出しないから、車椅子やストレッチャー等の運搬機器がブラケットに衝突することがない。これらのブラケットレスの手すりやブラケット一体型の手すりは、幅の狭い廊下や通路に設置されるのみでなく、患者の自損行為を誘発しにくい構造が評価されて、病院等に設置される場合がある。
【０００４】
特開２００１―３２３６２３号公報は、手摺端部処理部品とアタッチメントを組み合わせて連続手すりのエンドキャップを構成することが可能であり、また、手摺端部処理部品と一対のアタッチメントを組み合わせて連続手すりの出隅部のジョイントを構成することができる、手摺及び手摺端部処理ユニットを開示する。この手摺端部処理ユニットは、手摺端部処理部品とアタッチメントという二種類の部品を組み合わせることにより、連続手すりのキャップ処理と出隅部のジョイント処理を施工することができる。しかし、この手摺端部処理ユニットの手摺端部処理部品とアタッチメントの間、アタッチメントと手摺本体の端面の間、手摺端部処理部品と手摺本体の端面の間は、それぞれ、両部材を突き合わせることによって施工される、所謂、突き付け仕様であるため、笠木の切断精度が低い場合には、これらの部材の接合部に段差や隙間を生じ易い。また、壁面に不陸がある場合には、これらの部材の接合部の段差や隙間を目立たなくするために、困難な作業を要する。特に、連続手すりの出隅部でジョイント処理を行うには、手摺端部処理部品と二つのアタッチメントと二本の手摺本体を突き付け施工する必要があるため、極めて困難な作業が必要になる。
【０００５】
特開２００８―２２１６号公報は、少なくとも一端が長尺状の手摺部材に接続される手摺用コーナー接続具を開示する。このコーナー接続具は、２個の端板部と湾曲部とから構成されるフレームを備え、これらの端板部の端面にはテーパ状側壁の凹部が形成される。長尺状の手摺部材の端部には、端部板の端面に形成されたテーパ状側壁の凹部に嵌入するテーパ部を形成し、手摺部材とコーナー接続具の接合を容易にすると共に両部材間に隙間を生じにくい構造にしている。また、端部板の端面に形成されたテーパ状側壁の凹部に嵌入するテーパ部をスペーサに形成し、このスペーサを介してコーナー接続具を壁面に装着することができる構造を提案する。
【０００６】
特開２０１１―７４６７３号公報は、直角に屈曲した接続具本体の両端に、接続具本体の長さ方向に対して直角方向に突設された手摺り取付座と、接続具本体の長さ延長方向に突設された手摺りの端部嵌合用短筒部とから成る、手摺り取付座を設け、手摺りの端部を端部嵌合用短筒部に挿入して手摺り取付座にネジにより固定することにより、手摺りを直角に接続することができると同時に、一方の短筒部内に壁面取付用スペーサ部材を配置して、壁面に固定することができる、手摺り用接続具を開示する。
【０００７】
しかし、出隅部や入隅部で、壁面と特開２００８―２２１６号公報に記載の手摺用コーナー接続具との間には隙間を生じ、同様に、出隅部や入隅部で、壁面と特開２０１１―７４６７３号公報に記載の手摺り用接続具との間にも隙間を生じる。したがって、壁面と長尺状の手摺部材や手摺りの間に隙間を生じないような施工を施した場合にも、出隅部や入隅部では、壁面と接続具の間の隙間を排除することができない。
【先行技術文献】
【特許文献】
【０００８】
【特許文献１】特開２００１―３２３６２３号公報
【特許文献２】特開２００８―２２１６号公報
【特許文献３】特開２０１１―７４６７３号公報
【発明の概要】
【発明が解決しようとする課題】
【０００９】
本発明の目的は、部品点数が少なく、施工が容易で、壁面との間に隙間を生じない、連続手すりのエンドキャップと、連続手すりの出隅部の連接材を提供することにある。
【課題を解決するための手段】
【００１０】
本発明のエンドキャップは、連続手すりの手すり部材の端部を壁面に連接させるエンドキャップであって、前記エンドキャップは、第一の端面と、前記第一の端面に隣接し、かつ、前記第一の端面に対して９０度の角度を成す、第二の端面と、前記第一の端面と前記第二の端面の境界に直線状に延びる稜線と、前記第一の端面に形成された手すり部材連接部と、前記第二の端面に形成された壁面連接部とを有する、前記エンドキャップにおいて、前記手すり部材連接部は、前記第一の端面から突出した連続壁を有し、前記連続壁は、前記手すり部材の端部を被うように、前記手すり部材の端部の外形に沿って延在し、前記稜線が前記壁面に沿って配置されると、前記壁面連接部は前記壁面に沿って延在することを特徴とする。
【００１１】
前記エンドキャップにおいて、前記手すり部材連接部は、前記第一の端面から突出した一つ又は二つ以上の位置決め用の突起を有し、前記位置決め用の突起は、前記手すり部材の端部から前記手すり部材の内部に進入するように、前記連続壁の内側に形成され、前記位置決め用の突起は、前記手すり部材の端部を前記連続壁の内側の所定の位置に案内するように、前記連続壁よりも突出させることができる。
【００１２】
前記エンドキャップにおいて、前記手すり部材連接部は、前記第一の端面から突出した一つ又は二つ以上の固定用の突起を有し、前記固定用の突起は方形の断面形状を有し、前記エンドキャップは、前記固定用の突起を貫通するネジによって、前記壁面に固定されるように構成することができる。
【００１３】
前記エンドキャップにおいて、前記固定用の突起は、前記手すり部材の端部から前記手すり部材の内部に進入するように、前記連続壁の内側に形成され、前記固定用の突起は、前記手すり部材の端部を前記連続壁の内側の所定の位置に案内するように、前記連続壁よりも突出させることができる。
【００１４】
前記エンドキャップにおいて、前記第二の端面に凹所を形成し、前記第二の端面の縁部と前記凹所の開口の間に帯状平面を画成し、前記帯状平面によって前記壁面連接部を構成し、前記エンドキャップの内部に空洞部を形成し、前記空洞部を前記凹所の底部に開口させることができる。
【００１５】
更に、前記エンドキャップは、前記第一の端面と前記第二の端面に隣接し、かつ、前記第一の端面と前記第二の端面の間に延在する、側面を有し、前記側面の天井部に、前記稜線に直交する平面部を形成することができる。
【００１６】
更に、前記連続手すりは、手すり部材と壁面の間に空隙を有さない、ブラケットレスの手すり又はブラケット一体型の手すりによって構成することができる。
【００１７】
例えば、前記手すり部材は、壁面に当接する支持面と、前記壁面から間隔を置いて前記壁面に対向する把持部とを有し、前記把持部は、前記支持面を前記壁面に当接させたとき、上方に向かって滑らかに湾曲し、かつ、全体として前記壁面から離隔する方向に突出した外形を有し、前記手すり部材は、更に、前記把持部の上縁部に形成された巻回部と、前記巻回部に連続する凹状湾曲面とを有し、前記凹状湾曲面は、前記支持面を前記壁面に当接させたとき、前記把持部と前記壁面の間に位置し、前記巻回部は、前記支持面を前記壁面に当接させたとき、前記把持部の前記上縁部で前記凹状湾曲面に向かって巻回し、前記支持面の上方で前記壁面に対向するように構成することができる。
【００１８】
本発明の連続手すりの連接材は、壁面の出隅で手すり部材を連接させる連続手すりの連接材であって、
前記連接材は、手すり部材の端部を壁面に連接させるためのエンドキャップを含み、前記エンドキャップは、第一の端面と、前記第一の端面に隣接し、かつ、前記第一の端面に対して９０度の角度を成す、第二の端面と、前記第一の端面と前記第二の端面の境界に直線状に延びる稜線と、前記第一の端面に形成された第一の手すり部材連接部を有し、
前記連接材は、更に、前記エンドキャップの前記第二の端面に固定された端部材を有し、前記端部材は第二の手すり部材連接部を有し、
前記第一の手すり部材連接部は、前記第一の端面から突出した連続壁を有し、前記連続壁は、前記エンドキャップの前記稜線を前記壁面の出隅に沿って配置したとき、前記第一の手すり部材連接部に連接される手すり部材の端部を被うように、前記手すり部材の端部の外形に沿って延在し、
前記第二の手すり部材連接部は、前記端部材から突出した連続壁を有し、前記連続壁は、前記エンドキャップの前記稜線を前記壁面の出隅に沿って配置したとき、前記第二の手すり部材連接部に連接される手すり部材の端部を被うように、前記手すり部材の端部の外形に沿って延在することを特徴とする。
【００１９】
前記連続手すりの連接材において、前記第一の手すり部材連接部は、前記第一の端面から突出した一つ又は二つ以上の位置決め用の突起を有し、前記第二の手すり部材連接部は、前記端部材から突出した一つ又は二つ以上の位置決め用の突起を有し、
前記第一の手すり部材連接部の前記位置決め用の突起は、前記手すり部材の端部から前記手すり部材の内部に進入するように、前記第一の手すり部材連接部の前記連続壁の内側に形成され、かつ、前記手すり部材の端部を前記連続壁の内側の所定の位置に案内するように、前記第一の手すり部材連接部の前記連続壁よりも突出し、
前記第二の手すり部材連接部の前記位置決め用の突起は、前記手すり部材の端部から前記手すり部材の内部に進入するように、前記第二の手すり部材連接部の前記連続壁の内側に形成され、かつ、前記手すり部材の端部を前記連続壁の内側の所定の位置に案内するように、前記第二の手すり部材連接部の前記連続壁よりも突出するように構成することができる。
【００２０】
前記連続手すりの連接材において、前記第一の手すり部材連接部は、前記第一の端面から突出した一つ又は二つ以上の固定用の突起を有し、前記第二の手すり部材連接部は、前記端部材から突出した一つ又は二つ以上の固定用の突起を有し、前記固定用の突起は、それぞれ、方形の断面形状を有し、前記エンドキャップは、前記固定用の突起を貫通するネジによって、前記壁面に固定されるように構成することができる。
【００２１】
前記連続手すりの連接材において、
前記第一の手すり部材連接部の前記固定用の突起は、前記手すり部材の端部から前記手すり部材の内部に進入するように、前記第一の手すり部材連接部の前記連続壁の内側に形成され、かつ、前記手すり部材の端部を前記連続壁の内側の所定の位置に案内するように、前記第一の手すり部材連接部の前記連続壁よりも突出し、
前記第二の手すり部材連接部の前記固定用の突起は、前記手すり部材の端部から前記手すり部材の内部に進入するように、前記第二の手すり部材連接部の前記連続壁の内側に形成され、かつ、前記手すり部材の端部を前記連続壁の内側の所定の位置に案内するように、前記第二の手すり部材連接部の前記連続壁よりも突出するように構成することができる。
【００２２】
前記連続手すりの連接材において、前記エンドキャップの前記第二の端面に凹所を形成し、前記凹所の内壁に段差部を形成し、前記端部材を前記凹所に嵌合させると共に前記段差部に係止させ、更に、前記エンドキャップの内部に空洞部を形成することができる。
【００２３】
前記連続手すりの連接材において、前記エンドキャップは、前記第一の端面と前記第二の端面に隣接し、かつ、前記第一の端面と前記第二の端面の間に延在する、側面を有し、前記側面の天井部に、前記稜線に直交する平面部を有することができる。
【００２４】
前記連続手すりの連接材において、前記連続手すりは、手すり部材と壁面の間に空隙を有さない、ブラケットレスの手すり又はブラケット一体型の手すりで構成することができる。
【発明の効果】
【００２５】
本発明のエンドキャップを手すり部材の端部に装着するとき、手すり部材の端部はエンドキャップの手すり部材連接部の連続壁の内側に挿入される。これによって、連続壁は、手すり部材の端部を被うように、手すり部材の端部の外形に沿って延在する。したがって、施工誤差によって手すり部材の端部の形状や寸法にばらつきを生じても、手すり部材の端部とエンドキャップの間に隙間は生じない。また、手すり部材を取り付ける壁面の不陸により、手すり部材がエンドキャップに対して傾斜する場合でも、手すり部材の端部が連続壁に重なっている限り、手すり部材の端部とエンドキャップの間に隙間は生じない。換言すれば、手すり部材の端部と連続壁とが重合する範囲内で、手すり部材の端部に対して、エンドキャップの位置や角度を任意に調節することができる。また、エンドキャップの壁面連接部が形成された第二の端面は、連続壁を有する第一の端面に対して９０度の角度を成すから、第一の端面と第二の端面の境界に直線状に延びる稜線を、エンドキャップを取り付ける壁面に沿って配置することによって、エンドキャップの壁面連接部を壁面に沿って延在させることができる。したがって、エンドキャップを容易に位置決めすることができる。更に、本発明のエンドキャップの壁面連接部は壁面に沿って延在し、エンドキャップと壁面との間に隙間を生じないから、手すりと壁面の間に空隙を有さない、所謂、ブラケットレスの手すりやブラケット一体型の手すりのエンドキャップに、本発明のエンドキャップを使用すると、手すりからエンドキャップに至る全域で壁面と手すりとの間に隙間を生じない連続手すりを施工することができる。なお、この明細書で連接とは、二つの部材が当接して配置され又は近接して配置されて、連続することをいい、二つの部材の間の隙間が厳密な意味で零であることを意味しない。
【００２６】
本発明のエンドキャップの手すり部材連接部に、連続壁よりも突出した位置決め用の突起を設け、この位置決め用の突起によって手すり部材の端部を連続壁の内側の所定の位置に案内すれば、エンドキャップの施工を更に容易にすることができる。このとき、位置決め用の突起が手すり部材の端部から手すり部材の内部に進入するように、位置決め用の突起を連続壁の内側に形成しておけば、エンドキャップの施工後に位置決め用の突起を目視することはできないから、位置決め用の突起が手すりの外観を損なうことを防止することができる。
【００２７】
本発明のエンドキャップの手すり部材連接部に、方形の断面形状を有する固定用の突起を形成し、この固定用の突起を貫通するネジによって、エンドキャップを壁面に強固に固定することができる。このとき、固定用の突起を貫通するネジが手すり部材も貫通すれば、壁面に対する手すり部材の固定強度も向上する。また、固定用の突起が手すり部材の端部から手すり部材の内部に進入するように、固定用の突起を連続壁の内側に形成しておけば、エンドキャップの施工後に固定用の突起を目視することはできないから、固定用の突起が手すりの外観を損なうことはない。更に、固定用の突起が手すり部材の端部を連続壁の内側の所定の位置に案内するように、固定用の突起を連続壁よりも突出させておけば、固定用の突起に前述の位置決め用の突起の機能を持たせることができる。
【００２８】
エンドキャップの第二の端面に凹所を形成することにより、第二の端面の縁部と凹所の間に帯状平面を画成し、この帯状平面によって壁面連接部を構成すれば、壁面連接部が第二の端面の縁部に沿って延在するから、壁面と第二の端面の縁部との密着度を向上させることができる。また、エンドキャップの内部に空洞部を形成すれば、エンドキャップの軽量化とエンドキャップを構成する材料の減少を図ることができる。そして、この空洞部を凹所の底部に開口させれば、空洞部の内面に後述する端部材の案内溝を形成する等によって、空洞部の有効利用を図ることができる。
【００２９】
エンドキャップの第一の端面と第二の端面に隣接し、かつ、これらの端面の間に延在する、側面に、稜線に直交する平坦な天井面を形成し、手すり部材にエンドキャップを装着したとき、この天井面が水平に延在するように構成すれば、手すりの使用者はこの天井面に手を置いて体を支えることができる。なお、エンドキャップの第一の端面の形状や連続壁の形状は、エンドキャップが装着される手すり部材の端部の形態に合わせて変更される。エンドキャップの第一の端面の形状が変われば、これに連なる側面の形状が変化するから、第二の端面の形状も変化する場合がある。また、エンドキャップの中央軸線を含む水平面に関して、エンドキャップを上下対称の形状にすれば、手すり部材の右端部及び左端部に同一のエンドキャップを装着することができる。
【００３０】
本発明のエンドキャップは、エンドキャップと壁面との間に空隙を形成しないから、このエンドキャップを、手すり部材と壁面の間に空隙を有さない、所謂、ブラケットレスの手すり又はブラケット一体型の手すりの端部に装着すれば、手すり部材からエンドキャップに至る手すり全長にわたって、壁面との間に空隙を有さない連続手すりを施工することができる。
【００３１】
本発明の連続手すりの連接材は、本来、手すり部材の端部を壁面に連接させるためのエンドキャップをそのまま利用し、このエンドキャップの第二の端面に、手すり部材連接部を有する端部材を固定することによって、壁面の出隅で一対の手すり部材を連接させることができる。本発明の連続手すりの連接材は、連続手すりの端部に装着されるエンドキャップをそのまま利用するから、連接材を構成するための専用部品は端部材のみである。よって、連接材を容易にかつ安価に準備することができる。また、本発明の連続手すりの連接材は、連続手すりの端部を壁面に連接させるための第一の手すり部材連接部を有するエンドキャップと、第二の手すり部材連接部を有する端部材との二部品によって構成される。よって、連続手すりの出隅部に対する組み付けと位置調整は容易であり、連続手すりの施工性が向上する。更に、本発明の連接材は、エンドキャップの稜線を壁面の出隅に沿って配置するから、連接材と壁面の間に空隙を生じない。したがって、手すり部材と壁面の間に空隙を有さない、所謂、ブラケットレスの手すり又はブラケット一体型の手すりを本発明の連接材によって連接し、連続手すりの出隅部を構成すると、壁面の出隅を挟んで一方の手すり部材から他方の手すり部材に至る手すり全長にわたって、壁面との間に空隙を有さない連続手すりを施工することができる。
【００３２】
本発明の連続手すりの連接材によって、連続手すりの出隅部を施工するとき、手すり部材の端部は連続壁の内側に挿入される。連続壁は、手すり部材の端部を被うように、手すり部材の端部の外形に沿って延在するから、施工誤差によって手すり部材の端部の形状や寸法にばらつきを生じても、手すり部材の端部と連接材の間に隙間は生じない。また、手すり部材が取り付けられる壁面の不陸により、手すり部材が連接材に対して傾斜する場合でも、手すり部材の端部が連続壁に重なっている限り、手すり部材の端部と連接材の間に隙間は生じない。換言すれば、手すり部材の端部と連続壁とが重合する範囲内で、手すり部材の端部に対する連接材の位置や角度を任意に調節することができる。なお、この明細書で連接とは、二つの部材が当接し又は近接して配置されて、連続することをいい、二つの部材の間の隙間が厳密な意味で零であることを意味しない。
【００３３】
本発明の連続手すりの連接材の第一及び第二の手すり部材連接部に、連続壁よりも突出した位置決め用の突起を設け、この位置決め用の突起によって手すり部材の端部を連続壁の内側の所定の位置に案内するように構成すれば、連続手すりの出隅部の施工を更に容易にすることができる。このとき、位置決め用の突起が手すり部材の端部から手すり部材の内部に進入するように、位置決め用の突起を連続壁の内側に形成しておけば、エンドキャップの施工後に位置決め用の突起を目視することはできないから、位置決め用の突起が連続手すりの外観を損なうことを防止することができる。
【００３４】
本発明の連続手すりの連接材の第一及び第二の手すり部材連接部に、それぞれ、方形の断面形状を有する固定用の突起を形成し、この固定用の突起を貫通するネジによって、連接材を壁面に強固に固定することができる。このとき、固定用の突起を貫通するネジが手すり部材も貫通すれば、壁面に対する手すり部材の固定強度も向上する。また、固定用の突起が手すり部材の端部から手すり部材の内部に進入するように、これらの固定用の突起を連続壁の内側に形成しておけば、連続手すりの出隅部を施工した後に手すりの外部から固定用の突起を目視することはできないから、固定用の突起が手すりの外観を損なうことはない。更に、手すり部材の端部が固定用の突起によって連続壁の内側の所定の位置に案内されるように、固定用の突起を連続壁よりも突出させておけば、固定用の突起に前述の位置決め用の突起の機能を持たせることができる。
【００３５】
本発明の連続手すりの連接材を構成するエンドキャップの第二の端面に凹所を形成し、この凹所の内壁に段差部を形成し、端部材をこの凹所に嵌合させると共に段差部によって係止させれば、端部材の側面をエンドキャップの第二の端面と同一面に配置することができる。また、エンドキャップの内部に空洞部を形成すれば、エンドキャップの軽量化とエンドキャップを構成する材料の減少を図ることができる。更に、この空洞部を凹所の底部に開口させれば、空洞部の内面に端部材の案内溝を形成することにより、空洞部の有効利用を図ることができる。
【００３６】
そして、本発明の連接材を構成するエンドキャップの第一の端面と第二の端面に隣接し、かつ、これらの端面の間に延在する、側面に、稜線に直交する平坦な天井面を形成し、連続手すりの出隅部でこの天井面が水平に延在するように構成すれば、手すりの使用者は、壁面の出隅で、この天井面に手を置いて体を支え、進行方向を変えることができる。
【００３７】
本発明のその他の特徴は、以下の実施例に関する記述中で、図を参照して説明する。
【図面の簡単な説明】
【００３８】
【図１】図１は、本発明のエンドキャップと連接材を備えた連続手すりの平面図である。（実施例１、２）
【図２】図２は、図１の出隅の両側の壁面に取り付けられた一対の手すり部材のうち、出隅の右側の壁面の手すり部材と、この手摺り部材の右端部に装着された本発明の右エンドキャップの斜視図である。（実施例１）
【図３】図３は、図２の手すり部材と右エンドキャップの分解斜視図である。（実施例１）
【図４】図４は、図３の右エンドキャップを背面側から見た斜視図である。（実施例１）
【図５】図５は、図１の手すり部材と壁面をＡ―Ａ線に沿って切断した縦断面図である。（実施例１、２）
【図６】図６は、図１の出隅の両側の壁面に取り付けられた一対の手すり部材のうち、出隅の左側の壁面の手すり部材と、この手摺り部材の左端部に装着された本発明の左エンドキャップの斜視図である。（実施例１）
【図７】図７は、図６の手すり部材と左エンドキャップの分解斜視図である。（実施例１）
【図８】図８は、図７の左エンドキャップを背面側から見た斜視図である。（実施例１）
【図９】図９は、右エンドキャップと端部材からなる本発明の連接材によって連結された手すり部材と連接材を、図１の出隅の左側の壁面側から見た斜視図である。（実施例２）
【図１０】図１０は、図９の連接材を、図１の出隅の右側の壁面側から見た斜視図である。（実施例２）
【図１１】図１１は、図９の連接材と手すり部材の分解斜視図である。（実施例２）
【図１２】図１２は、図１１の連接材の分解斜視図である。（実施例２）
【図１３】図１３は、図１２の端部材の斜視図である。（実施例２）
【図１４】図１４は、図１１の連接材の端部材の側の端面の正面図である。（実施例２）
【図１５】図１５は、図１０のＢ−Ｂ線に沿う断面図である。（実施例２）
【図１６】図１６は、左エンドキャップと端部材から成る本発明の連接材の分解斜視図である。（実施例２）
【図１７】図１７は、図１６の連接材を端部材の側から見た分解斜視図である。（実施例２）
【発明を実施するための形態】
【００３９】
部品点数が少なく、施工が容易で、壁面との間に隙間を生じない、連続手すりのエンドキャップ及び連続手すりの出隅部の連接材を提供するため、エンドキャップと連接材の手すり部材連接部に、それぞれ、手すり部材の端部を被う連続壁を形成し、また、エンドキャップを連接材の一部品としてそのまま使用できるように構成した。
【実施例１】
【００４０】
図1に示すように、連続手すり１を構成する手すり部材２、３、４は、中央壁Ｗ１、前方壁Ｗ２、後方壁Ｗ３の各壁面Ｗａ、Ｗｂ、Ｗｃに、それぞれ、取り付けられている。中央壁Ｗ１と前方壁Ｗ２の間には出隅Ｗｅが形成され、中央壁Ｗ１と後方壁Ｗ３の間には入隅Ｗｉが形成されている。手すり部材２、３，４は、これらの手すり部材２、３、４が取り付けられる壁面Ｗａ、Ｗｂ、Ｗｃとの間に空隙を生じない、所謂、ブラケットレスの手すり部材又はブラケット一体型の手すり部材である。手すり部材２、３、４の断面構造及び断面寸法は同一である。手すり部材２、３、４は、壁面Ｗａ、Ｗｂ、Ｗｃの幅に合わせるため、長手方向の寸法のみを異にする。
【００４１】
図１、２、３、５に示すように、手すり部材２は、合成樹脂材料を使用して押出し成形された手すり本体Ｈ１と、合成樹脂材料製の蓋体Ｈ２からなる。
【００４２】
手すり本体Ｈ１の外殻Ｓは、平板部ｓ１と、平板部ｓ１の上縁に連続し、かつ、全体として凹状に湾曲する、大径湾曲部ｓ２と、大径湾曲部ｓ２に連続する小径湾曲部ｓ３と、小径湾曲部ｓ３に連続して凸状に湾曲し、手すり使用者が手でつかむための把持部を構成する、巻回部ｓ４と、巻回部ｓ４から平板部ｓ１の下縁までほぼ平板状に延びる底板部ｓ５と、底板部ｓ５に形成された凹状屈曲部ｓ６とを有する。手すり本体Ｈ１の大径湾曲部ｓ２と小径湾曲部ｓ３と巻回部ｓ４と底板部ｓ５は、平板部ｓ１の上縁と下縁の間で、滑らかに連続する。図５に示すように、凹状屈曲部ｓ６は、平板部ｓ１に対して直角を成す天井部ｓ６１と、平板部ｓ１に対して平行を成す壁部ｓ６２を有する。凹状屈曲部ｓ６は、手すり本体Ｈ１の底板部ｓ５に、天井部ｓ６１と壁部ｓ６２によって画成された溝部ｄ１を形成する。溝部ｄ１は、上縁ｄ２と下縁ｄ３を有し、手すり本体Ｈ１の長手方向に、手すり本体Ｈ１の全長にわたって延在する。
【００４３】
手すり本体Ｈ１の内部には、補強用のリブｈ１、ｈ２、ｈ３、ｈ４、ｈ５によって区画された空洞部ｖ１、ｖ２、ｖ３、ｖ４、ｖ５、ｖ６が形成されている。これらの空洞部ｖ１乃至ｖ６は、それぞれ、手すり本体Ｈ１の長手方向に延在し、手すり本体Ｈ１を貫通して、手すり本体Ｈ１の長手方向の両端部に開口する。このうち、空洞部ｖ５は、溝部ｄ１に沿って手摺り本体Ｈ１の長手方向に延在する。手摺り本体Ｈ１は、空洞部ｖ１乃至ｖ６の存在によって、全体として中空体を構成する。
【００４４】
蓋体Ｈ２は、手すり本体Ｈ１の溝部ｄ１の上縁ｄ２と下縁ｄ３に係合して、溝部ｄ１を閉鎖するように、手すり本体Ｈ１の長手方向の全長にわたって延在する。蓋体Ｈ２の背面には、蓋体Ｈ２を溝部ｄ１に係合させたとき、手すり本体Ｈ１の凹状屈曲部ｓ６の天井部ｓ６１に当接する補強リブｈ６が形成されている。溝部ｄ１に係合した蓋体Ｈ２は、底板部ｓ５の外面に凹凸を生じない。
【００４５】
手すり部材３及び４は、手すり部材２と同じ構成を有する。
【００４６】
図２乃至５は、連続手すり１の手すり部材２の右端部２ａに装着された右エンドキャップ５を示す。この明細書において右エンドキャップ５とは、図１を参照して、手すり部材２が取り付けられた壁面Ｗａに向かって、手すり部材２の右端部２ａに装着され、手すり部材２の右端部２ａを壁面Ｗａに連接させるエンドキャップをいう。
【００４７】
これに対して、図６乃至８は、連続手すり１の手すり部材３の左端部３ｂに装着された左エンドキャップ６を示す。この明細書において、左エンドキャップ６とは、図１を参照して、手すり部材３が取り付けられた壁面Ｗｂに向かって、手すり部材３の左端部３ｂに装着され、手すり部材３の左端部３ｂを壁面Ｗｂに連接させるエンドキャップをいう。
【００４８】
左エンドキャップ６は、図１の連続手すり１の手すり部材４の左端部４ｂにも装着されているから、この明細書において、左エンドキャップ６とは、手すり部材４が取り付けられた壁面Ｗｃに向かって、手すり部材４の左端部４ｂに装着され、手すり部材４の左端部４ｂを壁面Ｗｃに連接させるエンドキャップであるということもできる。
【００４９】
図４及び８に示すように、右エンドキャップ５と左エンドキャップ６は面対称を成す。
【００５０】
図２乃至５に示すように、右エンドキャップ５は、第一の端面７と、第一の端面７に隣接し、かつ、第一の端面７に対して９０度の角度を成す、第二の端面８と、第一の端面７と第二の端面８の間に延在する側面９を有する。第一の端面７と第二の端面８の境界には稜線１０が直線状に延在する。
【００５１】
第一の端面７は単一の平面Ｐ１によって構成される。平面Ｐ１の輪郭は、稜線１０と、稜線１０の上端に直交する直線部１１と、直線部１１から稜線１０の下端まで滑らかに延びる凸状湾曲部１２とから成る。凸状湾曲部１２は、右エンドキャップ５が手すり部材２の右端部２ａに装着されたとき、手すり部材２の外殻Ｓの巻回部ｓ４の頂部付近から、底板部ｓ５を経て、平板部ｓ１の下縁に至る領域に沿って、手すり部材２の右端部２ａよりも所定距離だけ外側に延在する。この所定距離には、右エンドキャップ５が手すり部材２の右端部２ａに装着されたとき、手すり部材２の右端部２ａの大径湾曲部ｓ２と小径湾曲部ｓ３と巻回部ｓ４と底板部ｓ５を覆う、手すり部材連接部１００の連続壁１０１（後述する。）の厚さが含まれる。
【００５２】
第二の端面８は、平面Ｐ１が稜線１０を回転軸として９０度の角度を回転したとき、この平面Ｐ１の裏面によって構成される単一の平面Ｐ２である。平面Ｐ２は平面Ｐ１の鏡像を成し、平面Ｐ２の輪郭は、稜線１０と、平面Ｐ１の直線部１１に対応する直線部１３と、平面Ｐ１の凸状湾曲部１２に対応する凸状湾曲部１４とから成る。第二の端面８に凹所１５を形成し、凹所１５の側壁１５ａによって、第二の端面８に凹所１５の開口部１６を画成する。これにより、凹所１５の開口部１６と第二の端面８の縁部１７との間に、縁部１７に沿って環状に連続する帯状平面１８を画成する。帯状平面１８は、右エンドキャップ５が手すり部材２の右端部２ｂに装着されたとき、壁面Ｗａに沿って延在する壁面連接部２００を構成する。なお、第二の端面８の縁部１７とは平面Ｐ２の輪郭を指し、具体的には、稜線１０と直線部１３と凸状湾曲部１４である。
【００５３】
右エンドキャップ５の内部に空洞部１９を形成し、空洞部１９を凹所１５の底部に開口させる。これにより、凹所１５の底部に段差部１５ｂを形成する。段差部１５ｂは、側壁１５ａに沿って環状に延在する。また、空洞部１９の内壁に案内溝２０、２１を形成することができる。後述するように、凹所１５、側壁１５ａ、段差部１５ｂ、案内溝２０、２１は、右エンドキャップ５に端部材５０を取り付け、壁面Ｗａと壁面Ｗｂの間の出隅Ｗｅで手すり部材２と手すり部材３を連接させるための連接材２２を構成するとき、端部材５０を所定位置に取り付けるために使用される。
【００５４】
右エンドキャップ５の側面９は、第一の端面７を構成する平面Ｐ１を、稜線１０を回転軸として、第二の端面８の方向に９０度の角度だけ回転させたとき、平面Ｐ１の輪郭の直線部１１と凸状湾曲部１２の回転軌跡として把握することができる。直線部１１の回転軌跡は、右エンドキャップ５の頂部に平坦部２３を形成する。凸状湾曲部１２の回転軌跡は、手すり部材２の外殻Ｓの巻回部ｓ４の頂部付近から、底板部ｓ５を経て、平板部ｓ１の下縁に至る領域の形状に適合する、湾曲面を形成する。
【００５５】
右エンドキャップ５の第一の端面７に形成された手すり材連接部１００は、第一の端面７から突出した連続壁１０１を有する。連続壁１０１は、図５に示すように、手すり本体Ｈ１の外殻Ｓの大径湾曲部ｓ２と小径湾曲部ｓ３と巻回部ｓ４と底板部ｓ５を被うように、手すり部材２の右端部２ａの外形に沿って延在する。また、連続壁１０１は、第一の端面７を構成する平面Ｐ１の輪郭のうち、凸状湾曲部１２に沿って延在する湾曲壁部１０１ａを有する。湾曲壁部１０１ａの外側面は平面Ｐ１の凸状湾曲部１２に一致するから、連続壁１０１の湾曲壁部１０１ａは第一の端面７の凸状湾曲部１２に滑らかに連続する。連続壁１０１の高さＴは、手すり部材２の右端部２ａと連続壁１０１とが重なり合う寸法を考慮して、任意の寸法に設定することができる。
【００５６】
手すり部材連接部１００は、更に、右エンドキャップ５の第一の端面７から突出した位置決め用の突起１０２及び１０３と固定用の突起１０４を有する。位置決め用の突起１０２及び１０３と固定用の突起１０４は、手すり部材２の右端部２ａを手すり部材連接部１００の連続壁１０１の内側に挿入するとき、手すり部材２の右端部２ａから手すり部材２の内部に進入するように、第一の端面７の連続壁１０１によって囲繞された部分に形成する。すなわち、位置決め用の突起１０２は、手すり本体Ｈ１の空洞部ｖ１に挿入可能な形状を有し、位置決め用の突起１０３は、手すり本体Ｈ１の空洞部ｖ２に挿入可能な形状を有する。固定用の突起１０４は、方形の断面形状を有し、手すり本体Ｈ１の空洞部ｖ５に挿入可能である。位置決め用の突起１０２及び１０３と固定用の突起１０４は、手すり部材２の右端部２ａを連続壁１０１の内側の所定の位置に案内するように、連続壁１０１の高さＴよりも突出している。
【００５７】
図３に示すように、手すり部材２の右端部２ａに右エンドキャップ５の第一の端面７を連接するには、手すり部材連接部１００の位置決め用の突起１０２を手すり本体Ｈ１の空洞部ｖ１に挿入し、位置決め用の突起１０３を手すり本体Ｈ１の空洞部ｖ２に挿入し、固定用の突起１０４を手すり本体Ｈ１の空洞部ｖ５に挿入する。これにより、手すり部材２の右端部２ａは連続壁１０１の内側に挿入され、手すり部材２の右端部２ａと連続壁１０１の間に所定の重なり代を確保することができる。また、位置決め用の突起１０２及び１０３と固定用の突起１０４は、手すり部材２の内部に進入するから、手すり部材２の外部から目視することはできない。手すり本体Ｈ１の空洞部ｖ５に進入した固定用の突起１０４は、図５に示すように、凹状屈曲部ｓ６の壁部ｓ６２の外側から固定ネジ２４によって手すり部材２と共に中央壁Ｗ１に固定される。蓋体Ｈ２は、固定ネジ２４による固定が完了した後に、手すり本体Ｈ１に取り付けられ、溝部ｄ１を閉鎖する。手すり部材２の右端部２ａに右エンドキャップ５を装着し、固定ネジ２４によって壁面Ｗａに固定すると、右エンドキャップ５の第一の端面７と第二の端面８の境界に位置する稜線１０が壁面Ｗａに沿って上下方向に延在し、第二の端面８の帯状平面１８が壁面Ｗａに沿って延在する。この帯状平面１８によって、右エンドキャップ５の壁面連接部２００が形成される。このように、右エンドキャップ５の第一の端面７に形成された手すり部材連接部１００によって、手すり部材２の右端部２ａは右エンドキャップ５に連接され、右エンドキャップ５の第二の端面８に形成された壁面連接部２００によって、右エンドキャップ５の第二の端面８は壁面Ｗａに連接されるから、手すり部材２の右端部２ａは壁面Ｗａに滑らかに連続する。
【００５８】
図６乃至８は、図１の手すり部材３の左端部３ｂに装着された左エンドキャップ６を示す。左エンドキャップ６の構成は、右エンドキャップ５の構成に対して面対称をなすが、面対称であることを除けば、両者の構成は同じである。よって、図６乃至８に示した左エンドキャップ６の特徴を明瞭にするため、図１乃至５中で使用した参照番号と同一の番号を図６乃至８に使用した。すなわち、図６乃至８に使用された参照番号のうち、図１乃至５中の参照番号と同一の番号は、同一の機能を果たす、同一名称の構成要素である。
【００５９】
図１に示すように、左エンドキャップ６は、手すり部材４の左端部４ｂにも取り付けられる。手すり部材４の左端部４ｂに取り付けられた左エンドキャップ６は、中央壁Ｗ１と後方壁Ｗ３の間の入隅Ｗｉで、手すり部材２の右端部２ａに取り付けられた右エンドキャップ５に近接して配置される。左エンドキャップ６の側面９と右エンドキャップ５の側面９の間には隙間２５が形成されるが、これらの側面９は滑らかに湾曲しているから、隙間２５にロープや紐等を係止させることはできない。また、左エンドキャップ６の平坦部２３と右エンドキャップ５の平坦部２３を近接させて配置することができるから、連続手すり１の利用者は、これらの平坦部２３に順次手を置くことにより、体を支持することができる。したがって、連続手すり１の連続性は、入隅Ｗｉにおいても確保される。
【実施例２】
【００６０】
図９及び１０は、図１の壁面Ｗａと壁面Ｗｂの間の出隅Ｗｅに配置された連接材２２が、手すり部材２の左端部２ｂと手すり部材３の右端部３ａを連接している状態を示す。連接材２２は、実施例１に記載した右エンドキャップ５の第二の端面８に端部材５０を固定して構成される。連接材２２を構成する右エンドキャップ５の構成は、実施例１の右エンドキャップ５の構成と同一である。以下、実施例２の説明で使用する図面中の参照番号のうち、実施例１の説明で使用した図面中の参照番号と同一の番号は、同一の機能を果たす、同一名称の構成要素を示すこととする。
【００６１】
図１１に示すように、連接材２２を構成する右エンドキャップ５の第一の端面７の手すり部材連接部１００は、手すり部材３の右端部３ａを連接するために使用される。右エンドキャップ５の第二の端面８に手すり部材２の左端部２ｂを連接させるために、右エンドキャップ５の第二の端面８に、図１２乃至１４に示すように、端部材５０が固定される。端部材５０は、右エンドキャップ５の凹所１５に嵌合する合成樹脂製の基板５１と、基板５１の表面５１ａに一体形成された手すり部材連接部３００と、基板５１の裏面５１ｂに一体形成された十字状の案内部材５１ｃ、５１ｄと、十字状の案内部材５１ｃ、５１ｄを囲繞するように、基板５１の裏面５１ｂの側に突設された周縁壁５１ｅを有する。
【００６２】
端部材５０の表面５１ａは単一の平面Ｐ３によって構成され、平面Ｐ３に形成された手すり部材連接部３００は、右エンドキャップ５の第一の端面７に形成された手すり材連接部１００と面対称をなす。手すり材連接部３００は、端部材５０の表面５１ａから突出した連続壁３０１を有する。連続壁３０１は湾曲壁部３０１ａを有し、図１０に示すように、手すり本体Ｈ１の外殻Ｓの大径湾曲部ｓ２と小径湾曲部ｓ３と巻回部ｓ４と底板部ｓ５を被うように、手すり部材２の左端部２ｂの外形に沿って延在する。手すり部材連接部３００は、また、端部材５０の表面５１ａから突出した位置決め用の突起３０２及び３０３と固定用の突起３０４を有する。位置決め用の突起３０２及び３０３と固定用の突起３０４は、手すり部材２の左端部２ｂを手すり部材連接部３００の連続壁３０１の内側に挿入するとき、手すり部材２の左端部２ｂから手すり部材２の内部に進入するように、端部材５０の表面５１ａの連続壁３０１によって囲繞された部分に形成する。位置決め用の突起３０２は、手すり本体Ｈ１の空洞部ｖ１に挿入可能な形状を有し、位置決め用の突起３０３は、手すり本体Ｈ１の空洞部ｖ２に挿入可能な形状を有する。固定用の突起３０４は、方形の断面形状を有し、手すり本体Ｈ１の空洞部ｖ５に挿入可能である。位置決め用の突起３０２及び３０３と固定用の突起３０４は、手すり部材２の左端部２ｂを連続壁３０１の内側の所定の位置に案内するように、連続壁３０１の高さＴよりも突出するように形成される。
【００６３】
端部材５０は、十字状の案内部材５１ｃ、５１ｄを右エンドキャップ５の空洞部１９の内壁に形成された案内溝２０、２１に挿入し、案内溝２０、２１に案内されて、凹所１５に挿入される。端部材５０の周縁壁５１ｅは、凹所１５の側壁１５ａに嵌合し、段差部１５ｂに当接する。このとき、連続壁３０１の裏面３０１ｂが、図１５に示すように、右エンドキャップ５の第二の端面８の帯状平面１８に対して、斜線部分Ｋで重なり合う。したがって、端部材５０の連続壁３０１の外側面は右エンドキャップ５の第二の端面８の側面９の形状に一致し、右エンドキャップ５は端部材５０の連続壁３０１に滑らかに連続する。端部材５０は右エンドキャップ５の第二の端面８に形成された凹所１５に嵌合し、右エンドキャップ５に接着剤で固定される。
【００６４】
図１６及び１７に示すように、連接材２２は、左エンドキャップ６と端部材６０によって構成することもできる。左エンドキャップ６は、図６乃至８に示すとおりの構成を有する。これに対し、端部材６０は端部材５０の面対称をなす。すなわち、端部材６０は、左エンドキャップ６の凹所１５に嵌合する合成樹脂製の基板６１と、基板６１の表面６１ａに一体形成された手すり部材連接部４００と、基板６１の裏面６１ｂに一体形成された十字状の案内部材６１ｃ、６１ｄと、十字状の案内部材６１ｃ、６１ｄを囲繞するように、基板６１の裏面６１ｂの側に突設された周縁壁６１ｅを有する。端部材６０の表面６１ａは単一の平面Ｐ４によって構成され、平面Ｐ４に形成された手すり部材連接部４００は、左エンドキャップ６の第一の端面７に形成された手すり材連接部１００と面対称をなす。手すり材連接部４００は、端部材６０の表面６１ａから突出した連続壁４０１と、端部材６０の表面６１ａから突出した位置決め用の突起４０２及び４０３と固定用の突起４０４を有する。連続壁４０１は湾曲壁部４０１ａを有する。湾曲壁部４０１ａは、図１２及び１３の連続壁３０１の湾曲壁部３０１ａに対応する。そして、端部材６０は、十字状の案内部材６１ｃ、６１ｄを左エンドキャップ６の空洞部１９の内壁に形成された案内溝２０、２１に挿入し、案内溝２０、２１に案内されて、凹所１５に挿入される。端部材６０の周縁壁６１ｅは、凹所１５の側壁１５ａに嵌合し、段差部１５ｂに当接する。このとき、連続壁４０１の裏面４０１ｂが左エンドキャップ６の第二の端面８の帯状平面１８に対して重なり合う。端部材６０は左エンドキャップ６に接着剤で固定される。
【産業上の利用可能性】
【００６５】
ブラケットレスの手すり又はブラケット一体型の手すりと組み合わせることにより、手すりと壁面の間に空隙を生じない連続手すりを提供することができる。
【符号の説明】
【００６６】
１    連続手すり
２、３、４    手すり部材
５    右エンドキャップ
６    左エンドキャップ
１０    稜線
５０、６０    端部材
１００、３００、４００    手すり部材連接部
２００    壁面連接部
１０１、３０１、４０１    連続壁
１０２、３０２、４０２    位置決め用の突起
１０４、３０４、４０４    固定用の突起
【図１】
2015007346.tif 000003
【図２】
2015007346.tif 000004
【図３】
2015007346.tif 000005
【図４】
2015007346.tif 000006
【図５】
2015007346.tif 000007
【図６】
2015007346.tif 000008
【図７】
2015007346.tif 000009
【図８】
2015007346.tif 000010
【図９】
2015007346.tif 000011
【図１０】
2015007346.tif 000012
【図１１】
2015007346.tif 000013
【図１２】
2015007346.tif 000014
【図１３】
2015007346.tif 000015
【図１４】
2015007346.tif 000016
【図１５】
2015007346.tif 000017
【図１６】
2015007346.tif 000018
【図１７】
2015007346.tif 000019